(57)【要約】  【課題】  本発明の課題は、過酸化水素の分解によって発生する酸素ガスによる容器破損を防止する容器入り液体漂白剤物品の提供。  【解決手段】  （ａ）過酸化水素、（ｂ）一般式（Ｉ）で表される非イオン性化合物及び（ｃ）水を特定割合で含有し、ＪＩＳ  Ｋ３３６２：１９９８記載の界面活性剤相当分が１０〜５０質量％で、ＪＩＳ  Ｋ３３６２：１９９８記載の２０℃で測定するｐＨが４〜８である液体漂白剤組成物を容器に充填した容器入り液体漂白剤物品であって、容器が少なくとも２層のプラスチック製フィルムを積層した複合フィルム基材からなる袋状容器である、容器入り液体漂白剤物品。        Ｙ−(Ｒ2−Ｏ)m−Ｒ3          （Ｉ）〔式中、ＹはＨ又はＲ1−Ｏ−、Ｒ1及びＲ3はＨ又はＣ1-20のアルキル基等、Ｒ2はＣ2-6のアルキレン基、ｍは２〜５００の数を示す。〕【選択図】  なし【特許請求の範囲】
【請求項１】
下記（ａ）成分、（ｂ）成分及び（ｃ）成分を含有し、組成物中の（ａ）成分の含有量が０．１〜１０質量％、（ｂ）成分の含有量が１〜４０質量％、（ｃ）成分の含有量が３０〜９５質量％、（ａ）成分と（ｂ）成分の質量比（ｂ）／（ａ）が１〜３０、ＪＩＳ  Ｋ３３６２：１９９８記載の界面活性剤相当分が１０〜５０質量％で、ＪＩＳ  Ｋ３３６２：１９９８記載の２０℃で測定するｐＨが４〜８である液体漂白剤組成物を容器に充填した容器入り液体漂白剤物品であって、容器が少なくとも２層のプラスチック製フィルムを積層した複合フィルム基材からなる袋状容器である、容器入り液体漂白剤物品。
（ａ）過酸化水素、
（ｂ）一般式（Ｉ）で表される非イオン性化合物から選ばれる少なくとも１種、
Ｙ−(Ｒ2−Ｏ)m−Ｒ3          （Ｉ）
〔式中、Ｙは水素原子又はＲ1−Ｏ−で示される基、Ｒ1及びＲ3は、それぞれ独立に、水素原子又は炭素数１〜２０のアルキル基もしくはアルケニル基、Ｒ2は炭素数２〜６のアルキレン基、ｍは２〜５００の数を示す。〕
（ｃ）水
【請求項２】
前記袋状容器が、その内面側最内層が直鎖状低密度ポリエチレンフィルムで、該内面側最内層の外面側に少なくとも１層の補強用プラスチックフィルムが積層された複合フィルム基材からなる請求項１記載の容器入り液体漂白剤物品。
【請求項３】
液体漂白剤組成物が、更に（ｄ）成分としてホスホン酸系金属捕捉剤を含有する請求項１又は２記載の容器入り液体漂白剤物品。
【請求項４】
液体漂白剤組成物が、更に（ｅ）成分としてフェノール系ラジカルトラップ剤を含有する請求項１〜３何れか記載の容器入り液体漂白剤物品。
【請求項５】
液体漂白剤組成物が、更に（ｆ）成分として漂白活性化剤を含有する請求項１〜４何れか記載の容器入り液体漂白剤物品。
【請求項６】
液体漂白剤組成物が、更に（ｇ）成分としてホウ素化合物を含有する請求項１〜５何れか記載の容器入り液体漂白剤物品。
【発明の詳細な説明】
【技術分野】
【０００１】
本発明は、衣類等の繊維製品の漂白や除菌等に用いることができる、過酸化水素を含有する液体漂白剤組成物を容器に充填した、容器入り液体漂白剤物品に関する。
【背景技術】
【０００２】
漂白剤組成物は塩素系漂白剤組成物と酸素系漂白剤組成物に分けられるが、塩素系漂白剤組成物は使用できる繊維に制限があり、さらには色柄ものには使用できないことや特有の刺激臭を有していることから、これらの欠点のない酸素系漂白剤組成物が最近著しく普及している。この酸素系漂白剤組成物のうち、過炭酸ナトリウム、過ホウ酸ナトリウムが粉末酸素系漂白剤組成物として使用されており、過酸化水素が液体酸素系漂白剤組成物として使用されている。
【０００３】
この液体酸素系漂白剤は、漂白活性種として使用される過酸化水素の安定性が悪いため、貯蔵中に分解して酸素ガスを発生する。このため液体漂白剤の容器としては、通常、厚手の強固な構造のものが採用されている。しかし、省資源化やゴミの減量化の要請から、より薄いプラスチック製の小袋に詰めた詰替用の液体漂白剤が求められている。このような詰め替え用のプラスチック製の袋状の包装容器としては、特許文献１及び特許文献２に開示されているものがある。しかし、これらの容器を使用すると、発生する酸素ガスにより、貯蔵中に容器が著しく膨れたり、破裂したりするという問題がある。
【０００４】
過酸化水素の安定性の観点から、組成物のｐＨを３以下の酸性にし、洗浄力を犠牲にした組成物が一般的であり、このため、衣料用として用いる場合は、アルカリ成分を有する洗剤等と同時に使用することが一般的であった。
【０００５】
また、酸素ガスの発生による容器破損の防止方法として、金属イオン封鎖剤を配合して過酸化水素の分解を抑制する試み（例えば、特許文献３参照）や、特定の波長の光透過率を制限することで過酸化水素の分解を抑制する試み（例えば、特許文献４参照）、特定の二酸化炭素透過度を有する容器を用いることで過酸化水素の分解を抑制する試み（例えば、特許文献５参照）等がなされているが、これらは過酸化水素の分解をある程度抑制はするが、完全に分解を防止することはできないため、保存により容器が膨れるまでの期間を延ばしたものの、完全ではなかった。
【特許文献１】特表平３−５０５３２２号公報
【特許文献２】実開平３−１２３８４７号公報
【特許文献３】特開平１１−３３５６９５号公報
【特許文献４】特開２０００−２６５２００号公報
【特許文献５】特開平１１−１４０４９３号公報
【発明の開示】
【発明が解決しようとする課題】
【０００６】
本発明の課題は、過酸化水素の分解によって発生する酸素ガスによる容器破損を防止する容器入り液体漂白剤物品を提供することにある。
【課題を解決するための手段】
【０００７】
本発明は、下記（ａ）成分、（ｂ）成分及び（ｃ）成分を含有し、組成物中の（ａ）成分の含有量が０．１〜１０質量％、（ｂ）成分の含有量が１〜４０質量％、（ｃ）成分の含有量が３０〜９５質量％、（ａ）成分と（ｂ）成分の質量比（ｂ）／（ａ）が１〜３０、ＪＩＳ  Ｋ３３６２：１９９８記載の界面活性剤相当分が１０〜５０質量％で、ＪＩＳ  Ｋ３３６２：１９９８記載の２０℃で測定するｐＨが４〜８である液体漂白剤組成物を容器に充填した容器入り液体漂白剤物品であって、容器が少なくとも２層のプラスチック製フィルムを積層した複合フィルム基材からなる袋状容器である、容器入り液体漂白剤物品を提供する。
（ａ）過酸化水素、
（ｂ）一般式（Ｉ）で表される非イオン性化合物（以下非イオン性化合物（Ｉ）という）から選ばれる少なくとも１種、
Ｙ−(Ｒ2−Ｏ)m−Ｒ3          （Ｉ）
〔式中、Ｙは水素原子又はＲ1−Ｏ−で示される基、Ｒ1及びＲ3は、それぞれ独立に、水素原子又は炭素数１〜２０のアルキル基もしくはアルケニル基、Ｒ2は炭素数２〜６のアルキレン基、ｍは２〜５００の数を示す。〕
（ｃ）水
また本発明は液体漂白剤組成物が、更に（ｄ）成分としてホスホン酸系金属捕捉剤を含有する上記容器入り液体漂白剤物品を提供する。
【０００８】
また本発明は液体漂白剤組成物が、更に（ｅ）成分としてフェノール系ラジカルトラップ剤を含有する上記容器入り液体漂白剤物品を提供する。
【０００９】
また本発明は液体漂白剤組成物が、更に（ｆ）成分として漂白活性化剤を含有する上記容器入り液体漂白剤物品を提供する。
【００１０】
また本発明は液体漂白剤組成物が、更に（ｇ）成分としてホウ素化合物を含有する上記容器入り液体漂白剤物品を提供する。
【発明の効果】
【００１１】
本発明の容器入り液体漂白剤物品により、過酸化水素の分解によって発生する酸素ガスによる容器破損を防止することができる。
【発明を実施するための最良の形態】
【００１２】
［（ａ）成分］
本発明に係わる液体漂白剤組成物は（ａ）成分として過酸化水素を含有する。
【００１３】
［（ｂ）成分］
本発明に係わる液体漂白剤組成物は（ｂ）成分として、非イオン性化合物（Ｉ）を含有する。安定性、酸素ガス発生防止性の観点から、一般式（Ｉ）中のＲ2は炭素数２〜３のアルキレン基が好ましい。また、一般式（Ｉ）中、−(Ｒ2−Ｏ)m−はアルキレンオキサイドがランダム付加したものでもブロック付加したものでも良く、中でもエチレンオキサイド（以下、ＥＯと表記する）及び／又はプロピレンオキサイド（以下、ＰＯと表記する）がランダム付加したものやブロック付加したものが好ましい。−(Ｒ2−Ｏ)m−は、ＥＯを付加したものが最も好ましい。
【００１４】
安定性、酸素ガス発生防止性の観点から、一般式（Ｉ）において、ｍは４〜４００が好ましく、６〜３００がより好ましい。また、安定性、酸素ガス発生防止性、洗浄性能の観点から、一般式（Ｉ）において、ｍが２〜９（好ましくは４〜８）のものの（ｂ）成分中の含有量が、５０質量％以上であることが好ましく、６０質量％以上であることがより好ましい。
【００１５】
非イオン性化合物（Ｉ）としては、ポリオキシアルキレン（アルキレン基の炭素数２〜３、オキシアルキレン基の付加モル数２〜５００）アルキル（アルキル基の炭素数１〜２０）エーテル、ポリアルキレングリコール（オキシアルキレン基の付加モル数２〜５００）、ポリアルキレングリコール（オキシアルキレン基の付加モル数２〜５００）ジアルキル（アルキル基の炭素数１〜２０）エーテル等が挙げられ、直鎖又は分岐鎖の炭素数８〜２０のアルキル基を有するポリオキシアルキレンアルキルエーテルが好ましく、ポリオキシエチレンアルキルエーテル（特にエチレンオキサイド付加モル数２〜１５、好ましくは２〜９、更に好ましくは４〜８、アルキル基の炭素数１０〜１８、好ましくは１２〜１４）が特に好ましい。
【００１６】
［液体漂白剤組成物］
本発明に係わる液体漂白剤組成物は、必須成分として、（ａ）成分、（ｂ）成分及び（ｃ）成分を含有する。
【００１７】
本発明の組成物中の（ａ）成分の含有量は、洗浄性能、安定性の観点から０．１〜１０質量％であり、０．５〜６質量％が好ましく、１〜４質量％がより好ましく、１．５〜３質量％が更に好ましい。（ｂ）成分の含有量は、安定性、酸素ガス発生防止性の観点から１〜４０質量％であり、５〜３８質量％が好ましく、１０〜３６質量％がより好ましく、１５〜３４質量％が更に好ましく、２０〜３２質量％が特に好ましい。（ｃ）成分の含有量は、安定性の観点から３０〜９５質量％であり、３５〜９０質量％が好ましく、４０〜８０質量％がより好ましい。
【００１８】
本発明の組成物中の（ａ）成分と（ｂ）成分の質量比（ｂ）／（ａ）は、安定性、酸素ガス発生防止性の観点から１〜３０であり、２〜２８が好ましく、３〜２６がより好ましく、４〜２４が更に好ましく、５〜２２が特に好ましく、６〜２０が最も好ましい。
【００１９】
本発明の液体漂白剤組成物は、更に、安定性、液体物性の観点から、（ｄ）成分としてホスホン酸系金属捕捉剤を含有することが好ましい。本発明の組成物中の（ｄ）成分の含有量は、０．０１〜１質量％が好ましく、０．０５〜０．８質量％がより好ましく、０．１〜０．５質量％が更に好ましい。
【００２０】
ホスホン酸系金属捕捉剤としては、１−ヒドロキシエタン−１，１−ジホスホン酸、エタン−１，１−ジホスホン酸、エタン−１，１，２−トリホスホン酸、ヒドロキシエタン−１，１，２−トリホスホン酸、エタン−１，２−ジカルボキシ−１，２−ジホスホン酸、ヒドロキシメタンホスホン酸、エチレンジアミンテトラ（メチレンホスホン酸）、ニトリロトリ（メチレンホスホン酸）、２−ヒドロキシエチルイミノジ（メチレンホスホン酸）、ヘキサメチレンジアミンテトラ（メチレンホスホン酸）、ジエチレントリアミンペンタ（メチレンホスホン酸）等の有機ホスホン酸誘導体やその塩を挙げることができる。これらの中でも１−ヒドロキシエタン−１，１−ジホスホン酸やその塩が好ましい。
【００２１】
本発明の液体漂白剤組成物は、更に、安定性、液体物性の観点から、（ｅ）成分としてフェノール系ラジカルトラップ剤を含有することが好ましい。本発明の組成物中の（ｅ）成分の含有量は０．０５〜５質量％が好ましく、０．１〜３質量％がより好ましく、０．５〜２質量％が更に好ましい。
【００２２】
フェノール系ラジカルトラップ剤としては、フェノール性水酸基を有する化合物又はフェノール性水酸基のエステル誘導体、エーテル誘導体等が挙げられる。このような化合物として、より具体的には、クレゾール、チモール、クロロフェノール、ブロモフェノール、メトキシフェノール、ニトロフェノール、ヒドロキシ安息香酸、サリチル酸、ヒドロキシベンゼンスルホン酸、ジ−ｔ−ブチル−ヒドロキシトルエン、ナフトール、ヒドロキノン、カテコール、ピロガロール、フェノキシエタノール、フェノールなどが挙げられる。これらの中でも４−メトキシフェノール、４−ヒドロキシ安息香酸、ヒドロキノン、カテコールがより好ましく、更にラジカルトラップ剤の安定性を考慮すれば、これらの中でも４−メトキシフェノール、４−ヒドロキシ安息香酸が更に好ましく、４−メトキシフェノールが特に好ましい。
【００２３】
本発明の液体漂白剤組成物は、更に、洗浄性能、安定性の観点から、（ｆ）成分として漂白活性化剤を含有することが好ましい。本発明の組成物中の（ｆ）成分の含有量は０．０１〜１０質量％が好ましく、０．１〜５質量％がより好ましく、０．２〜３質量％が更に好ましく、０．４〜１質量％が特に好ましい。
【００２４】
漂白活性化剤としては、アルカノイルオキシベンゼン型漂白活性化剤が好ましく、特に炭素数８〜１４、好ましくは８〜１３のアルカノイル基を有するアルカノイルオキシベンゼンスルホン酸、もしくは炭素数８〜１４、好ましくは８〜１３のアルカノイル基を有するアルカノイルオキシベンゼンカルボン酸又はこれらの塩が好ましい。より具体的に好ましい例としては、オクタノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、デカノイルオキシ−ｐ−ベンゼンスルホン酸、ドデカノイルオキシ−ｐ−ベンゼンスルホン酸、オクタノイルオキシ−ｏ−又は−ｐ−ベンゼンカルボン酸、ノナノイルオキシ−ｏ−又は−ｐ−ベンゼンカルボン酸、３，５，５−トリメチルヘキサノイルオキシ−ｏ−又は−ｐ−ベンゼンカルボン酸、デカノイルオキシ−ｏ−又は−ｐ−ベンゼンカルボン酸、ドデカノイルオキシ−ｏ−又は−ｐ−ベンゼンカルボン酸、及びこれらの塩が挙げられる。塩としてはナトリウム塩、カリウム塩、マグネシウム塩が好ましく、特にナトリウム塩が溶解性の点から好ましい。これらの中でも特にノナノイルオキシ−ｐ−ベンゼンスルホン酸、デカノイルオキシ−ｐ−ベンゼンカルボン酸、ドデカノイルオキシ−ｐ−ベンゼンスルホン酸及びこれらの塩が漂白効果の点から好ましい。
【００２５】
本発明の液体漂白剤組成物は、更に、洗浄性能、安定性の観点から（ｇ）成分として、ホウ素化合物を含有することが好ましい。本発明の組成物中の（ｇ）成分の含有量は０．０１〜２０質量％が好ましく、０．０５〜１５質量％がより好ましく、０．１〜１０質量％が更に好ましく、０．５〜５質量％が特に好ましい。
【００２６】
ホウ素化合物としては、ホウ酸、ホウ酸ナトリウム、ホウ酸カリウム、ホウ酸アンモニウム、４ホウ酸ナトリウム、４ホウ酸カリウム、４ホウ酸アンモニウム等、分子中にホウ素を含有する化合物が挙げられ、特に４ホウ酸ナトリウムが好適である。
【００２７】
本発明に係わる液体漂白剤組成物は、洗浄性能、安定性の観点から、ＪＩＳ  Ｋ３３６２：１９９８記載の界面活性剤相当分が１０〜５０質量％であり、１２〜４８質量％が好ましく、１４〜４６質量％がより好ましく、１６〜４４質量％が更に好ましく、１８〜４２質量％が特に好ましく、２０〜４０質量％が最も好ましい。
【００２８】
本発明に係わる液体漂白剤組成物は、洗浄性能、安定性の観点から、ＪＩＳ  Ｋ３３６２：１９９８記載の２０℃で測定するｐＨが４〜８であり、４．２〜７．５が好ましく、４．４〜７がより好ましく、４．６〜６．５が更に好ましく、４．８〜６が特に好ましい。また洗浄性能の観点から、０．１質量％に希釈することによりｐＨが０．５以上上昇することが好ましく、１以上がより好ましく、１．５以上が更に好ましく、２以上が特に好ましい。
【００２９】
また、本発明に係わる液体漂白剤組成物は、洗浄性能、液体物性の観点から、ＪＩＳ  Ｋ３３６２：１９９８記載の測定による０．１質量％水溶液の２０℃におけるｐＨが、好ましくは７〜１０、より好ましくは７．２〜９．５、更に好ましくは７．５〜９である。
【００３０】
このようなｐＨに調整するためのｐＨ調整剤としては塩酸、硫酸等の無機酸、もしくはクエン酸、コハク酸、リンゴ酸、フマル酸、酒石酸、マロン酸、マレイン酸等の有機酸などの酸剤、又は水酸化ナトリウムや水酸化カリウム、アンモニア及びその誘導体、アミン塩（モノエタノールアミン、ジエタノールアミン、トリエタノールアミンなど）、炭酸ナトリウム、炭酸カリウムなどのアルカリ剤を、単独もしくは複合して用いることが好ましく、特に塩酸、硫酸から選ばれる酸剤、又は水酸化ナトリウム、水酸化カリウムから選ばれるアルカリ剤を用いることが好ましい。
【００３１】
また、本発明に係わる液体漂白剤組成物の２０℃における粘度は、洗浄性能、液体物性の観点から、好ましくは５０〜２００ｍＰａ・ｓ、より好ましくは６０〜１５０ｍＰａ・ｓ、更に好ましくは７０〜１００ｍＰａ・ｓである。
本発明の液体漂白剤組成物の粘度は、Ｂ型粘度計〔（株）東京計器製、ＶＩＳＣＯＭＥＴＥＲ ＭＯＤＥＬ ＤＶＭ−Ｂ〕を用い、使用するローターは１、回転数６０ｒ／ｍｉｎ、測定時間６０秒の条件で測定されたものである。
【００３２】
本発明に係わる液体漂白剤組成物は、安定性向上、洗浄性能を高める目的から、（ｈ）成分としてポリオール化合物を含有することが好ましく、組成物中の（ｈ）成分の含有量は０．１〜３０質量％が好ましく、０．５〜２５質量％がより好ましく、１〜２０質量％が更に好ましく、５〜１５質量％が特に好ましい。
【００３３】
ポリオール化合物としては、グルコース、マンノース、ガラクトース、フルクトース、リボース、エリトロース、キシルロース、グルコン酸、ガラクトン酸、マンノン酸、グルクロン酸、マルトース、セロビオース、ラクトース、スクロース、サッカロース、ソルビトール、マンニトール等及びそれらの誘導体としてアルキルグルコシド等の糖又は糖誘導体、グリセリン、グリセリンモノアルキルエーテル等のグリセリン誘導体、ブタンジオール、ヘキサンジオール、オクタンジオール、デカンジオール等のアルキルジオール、エチレングリコール、プロピレングリコール、へキシレングリコール等のジオール化合物を挙げることができる。特に、（ｇ）成分のホウ素化合物と（ｈ）成分のポリオール化合物とを同時に用いることで、希釈時のｐＨを上昇させることができ、洗浄効果を高めることができる。
【００３４】
本発明に係わる液体漂白剤組成物は、優れた洗浄性能を得る観点から、陰イオン界面活性剤、陽イオン界面活性剤及び両性界面活性剤から選ばれる少なくとも１種を含有することができ、陰イオン界面活性剤が好ましい。組成物中のこれらの界面活性剤の含有量は０．０１〜２０質量％が好ましく、０．１〜１０質量％がより好ましい。
【００３５】
陰イオン界面活性剤としては、直鎖又は分岐鎖の炭素数８〜２４のアルキル基又はアルケニル基を少なくとも１個有する陰イオン界面活性剤、又は炭素数８〜２４のアルキル基で置換されたアリール基を少なくとも１個有する陰イオン界面活性剤が挙げられ、その例として、アルキルベンゼンスルホン酸塩、石鹸、アルキル硫酸塩、ポリオキシエチレンアルキル硫酸塩、脂肪族α−スルホメチルエステル、α−オレフィンスルホン酸塩等を挙げることができる。これらの中でもアルキルベンゼンスルホン酸塩、α−オレフィンスルホン酸塩、アルキル硫酸塩が好ましい。
【００３６】
陽イオン界面活性剤としては、モノまたはジアルキルアミン及びそのポリオキシエチレン付加物、モノまたはジ長鎖アルキル第４級アンモニウム塩等が挙げられる。両性界面活性剤としては、カルボベタイン系、スルホベタイン系、ヒドロキシスルホベタイン系の両性界面活性剤が挙げられる。
【００３７】
本発明に係わる液体漂白剤組成物は、漂白効果を高める目的から分散剤を含有することが好ましく、組成物中の分散剤の含有量は０．０５〜１４質量％が好ましく、０．１〜８質量％がより好ましい。分散剤としては、特に、重量平均分子量５千〜４万、好ましくは５千〜１万のポリアクリル酸もしくはその塩又はポリメタクリル酸もしくはその塩、重量平均分子量１万〜１０万、好ましくは３万〜７万のアクリル酸とマレイン酸とのコポリマーもしくはその塩から選ばれるカルボン酸系ポリマーが好ましい。
【００３８】
本発明に係わる液体漂白剤組成物は、漂白繊維に対する漂白効果を増すために蛍光増白剤として、チノパールＣＢＳ（チバ・ガイギー社製）、チノパールＳＷＮ（チバ・ガイギー社製）や、カラー・インデックス蛍光増白剤２８、４０、６１、７１等のような蛍光増白剤や、漂白性能を向上させるために酵素（セルラーゼ、アミラーゼ、プロテアーゼ、リパーゼ）を配合することができる。また染料や顔料のような着色剤、香料、シリコーン類、殺菌剤、紫外線吸収剤等の種々の微量添加物を適量配合してもよい。
【００３９】
［容器入り液体漂白剤物品］
本発明に係わる液体漂白剤組成物を充填する容器は、少なくとも２層のプラスチック製フィルムを積層した複合フィルム基材からなる袋状容器である。
【００４０】
本発明に用いられる容器は、その内面側最内層が直鎖状低密度ポリエチレンフィルム（以下、最内層ということがある）であることが、製造時のヒートシールの容易性、内容物の保持性の観点から好ましい。容器の内面側最内層の厚みは、製造時のヒートシールの容易性、内容物の保持性の観点から５０〜３００μｍが好ましく、９０〜１５０μｍがより好ましく、１３０〜１５０μｍが更に好ましい。
【００４１】
また本発明に用いられる容器は、その内面側最内層の外面側に少なくとも１層の補強用プラスチックフィルム（以下、補強フィルム層ということがある）が積層されていることが容器強度の観点から好ましい。補強フィルム層は、機械的強度が大きい補強用プラスチックフィルムからなり、補強用プラスチックフィルムの材料としては、例えばナイロン系樹脂、ポリビニルアルコール系樹脂、ポリエチレン系樹脂、ポリプロピレン系樹脂、ポリエステル系樹脂等の合成樹脂からなるフィルムが挙げられる。補強フィルム層の厚さは、直立性を維持し、落下時の衝撃破損などに耐えるフィルム強度と、内容物の減少を防止する保存安定性の点で、一層分の厚みとして、好ましくは１０〜３０μｍ、より好ましくは１５〜２０μｍである。
【００４２】
容器を形成する複合フィルム基材は、これらのフィルム各層が積層されたものである。フィルム各層の積層は、一般的に、ポリウレタン系、エステル系等の接着剤や、カゼインなどの水溶性接着剤などの糊材を用いて行われる。
【００４３】
複合フィルム基材の具体的な例としては、例えば以下の複合フィルム基材（１）〜（８）のようなものが挙げられるが、これらに限定されるものではない。
・複合フィルム基材（１）：（補強フィルム層）延伸ナイロン（１５μｍ）／（最内層）直鎖状低密度ポリエチレン（１３０μｍ）
・複合フィルム基材（２）：（補強フィルム層１）延伸ナイロン（１５μｍ）／（補強フィルム層２）延伸ナイロン（１５μｍ）／（最内層）直鎖状低密度ポリエチレン（１３０μｍ）
・複合フィルム基材（３）：（補強フィルム層１）延伸ナイロン（１５μｍ）／（補強フィルム層２）延伸ポリプロピレン（２０μｍ）／（最内層）直鎖状低密度ポリエチレン（１３０μｍ）
・複合フィルム基材（４）：（補強フィルム層）延伸ポリエチレンテレフタレート（２０μｍ）／（最内層）直鎖状低密度ポリエチレン（１３０μｍ）
・複合フィルム基材（５）：（補強フィルム層１）延伸ポリプロピレン（２０μｍ）／（補強フィルム層２）エチレン−ビニルアルコールコポリマー（１６μｍ）／（最内層）直鎖状低密度ポリエチレン（１３０μｍ）
・複合フィルム基材（６）：（補強フィルム層）延伸ポリビニルアルコール（２０μｍ）／（最内層）直鎖状低密度ポリエチレン（１３０μｍ）
・複合フィルム基材（７）：（補強フィルム層１）延伸ナイロン（１５μｍ）／（補強フィルム層２）アルミ蒸着ポリエチレンテレフタレート（１５μｍ）／（最内層）直鎖状低密度ポリエチレン（１００μｍ）
・複合フィルム基材（８）：（補強フィルム層１）延伸ナイロン（１５μｍ）／（補強フィルム層２）アルミ（７μｍ）／（最内層）直鎖状低密度ポリエチレン（１００μｍ）
なお、上記記載において、括弧内はフィルムの厚さを示す。また、エチレン−ビニルアルコールコポリマーは、補強フィルム層を２層以上設けた場合の、補強フィルム層の最外層と、最内層との間の中間層にのみ使用される。
【００４４】
本発明に用いられる容器は、上述のような複合フィルム基材を、前記最内層を内側にして重ね合わせ、その周縁部を、ヒートシール等により接着して袋状に成形して得られる。
【００４５】
また、本発明の容器入り液体漂白剤物品に収容されている液体漂白剤組成物をハードボトル等に詰替えを行い使用することができる。
【実施例】
【００４６】
実施例１〜９及び比較例１〜３
下記成分を用い、表１に示す組成の液体漂白剤組成物を調製した。得られた液体漂白剤組成物を、下記袋状容器Ａ〜Ｄに充填し、容器入り液体漂白剤物品を得た。これらの液体漂白剤物品について、下記方法で保存安定性試験を行った。その結果を表１に示す。
【００４７】
＜配合成分＞
（ａ）成分
ａ−１；過酸化水素
（ｂ）成分
ｂ−１；ＣＨ3(ＣＨ2)11-Ｏ-(Ｃ2Ｈ4Ｏ)6-Ｈ
ｂ−２；ＣＨ3(ＣＨ2)11-Ｏ-(Ｃ2Ｈ4Ｏ)10-Ｈ
ｂ−３；ＣＨ3(ＣＨ2)11-Ｏ-(Ｃ2Ｈ4Ｏ)12-Ｈ
ｂ−４；ＣＨ3(ＣＨ2)17-Ｏ-(Ｃ2Ｈ4Ｏ)130-Ｈ
ｂ−５；ポリエチレングリコール（分子量８０００）
（ｄ）成分
ｄ−１；１−ヒドロキシエタン−１，１−ジホスホン酸（ディクエスト２０１０、ソルーシア社製）
（ｅ）成分
ｅ−１；４−メトキシフェノール
（ｆ）成分
ｆ−１；ドデカノイルオキシ−ｐ−ベンゼンスルホン酸
ｆ−２；３，５，５−トリメチルヘキサノイルオキシ−ｐ−ベンゼンスルホン酸
（ｇ）成分
ｇ−１；オルトホウ酸
（ｈ）成分
ｈ−１；ソルビトール
その他成分
ＬＡＳ−Ｎａ；炭素数１０〜１４の直鎖アルキルベンゼンスルホン酸ナトリウム
ＥＳ；Ｃ12Ｈ25−Ｏ（ＣＨ2ＣＨ2Ｏ）nＳＯ3Ｎａ（エチレンオキサイド平均付加モル数ｎ＝３）
ＡＯＳ−Ｎａ：炭素数１４〜１８のα−オレフィンスルホン酸ナトリウム
ＡＰＡＯ；アルキル（炭素数１２）アミドプロピルジメチルアミンオキシド
＜容器＞
以下の合成樹脂フィルムを積層した複合フィルム基材（括弧内はフィルムの厚さを示す）を用い、最内層を内側にして重ね合わせ、その周縁部をヒートシールして袋状容器Ａ〜Ｄ（容積６００ｍＬ）を作製した。
・容器Ａ
複合フィルム基材：（補強フィルム層）延伸ナイロン（１５μｍ）／（最内層）直鎖状低密度ポリエチレン（１３０μｍ）
・容器Ｂ
複合フィルム基材：（補強フィルム層１）延伸ナイロン（１５μｍ）／（補強フィルム層２）延伸ポリプロピレン（２０μｍ）／（最内層）直鎖状低密度ポリエチレン（１３０μｍ）
・容器Ｃ
複合フィルム基材：（補強フィルム層）延伸ポリエチレンテレフタレート（２０μｍ）／（最内層）直鎖状低密度ポリエチレン（１３０μｍ）
・容器Ｄ
複合フィルム基材：（補強フィルム層１）延伸ポリプロピレン（２０μｍ）／（補強フィルム層２）エチレン−ビニルアルコールコポリマー（１６μｍ）／（最内層）直鎖状低密度ポリエチレン（１３０μｍ）
＜保存安定性試験＞
各容器入り液体漂白剤物品を４０℃に４０日間保存し、容器の状態を観察し、以下の基準で評価した。
○：容器の膨れが全く見られない
△：容器の膨れが僅かに見られる
×：容器の膨れが明らかに見られる
【００４８】
【表１】
2007039599.tif 000002